(57)【特許請求の範囲】
【請求項１】
前縁部（２）が湾曲してなる樹脂製のインストルメントパネル（１）を車体に取付けるための取付ねじ（４）端部が収容される複数個の凹陥取付部（６）を上記湾曲した前縁部（２）に沿って配設してなり、少なくとも左右両端部に形成される該凹陥取付部（６）の開口縁を形成する一辺が上記インストルメントパネルの湾曲した前縁部（２）に沿って略平行に形成された車両用インストルメントパネル構造において、上記複数個の凹陥取付部（６）の開口縁の平面形状は、いずれも台形、三角形等の同一形状であり、かつ上記凹陥取付部（６）の左側辺縁（６Ａ）及び右側辺縁（６Ｂ）は、型抜き方向に対して同一又は開いているように設定してアンダーカット部にならないように形成されていることを特徴とする車両用インストルメントパネル構造。
【発明の詳細な説明】
【０００１】
【発明の属する技術分野】
本発明は、車両用インストルメントパネル構造であって、特にその車両用インストルメントパネルを車体に取付けるための取付け部に特徴を有する車両用インストルメントパネル構造に関するものである。
【０００２】
【従来の技術】
自動車の車室内前方に設備されるインストルメントパネル構造として、図６、図７に示す如き構造のものがある。
【０００３】
すなわち、１は車体に取付けられるインストルメントパネルであって、このインストルメントパネル１は、樹脂の射出成形品である。このインストルメントパネル１にあっては、不図示のフロントガラスに近接する辺縁が、そのフロントガラスの曲面に対応して湾曲形成される前縁部２となっている。
【０００４】
その前縁部２に沿った適宜位置、図面では３個所に、該インストルメントパネル１を取付ねじを介して車体に取付けるための凹陥取付部３が設けられている。
【０００５】
この凹陥取付部３の側面形状は、図７で示されるように、このインストルメントパネル１を車体に取付けるために、使用される取付ねじ（ボルト）４の頭、又はナットが、インストルメントパネル１の表面から突出しないようにするための凹陥形状であり、また凹陥取付部３の平面形状は、図８で示されるように、インストルメントパネルの前後方向Ａと平行である辺縁３Ａを有する平行四辺形に形成されている。
【０００６】
この凹陥取付部３の平面形状がインストルメントパネル１の前後方向Ａと平行である辺縁３Ａを設けている理由としては、該インストルメントパネル１の射出成形時において、上記凹陥取付部３を成形するに使用した型の型抜き（離型）方向Ａを、一方向つまり成形されたインストルメントパネル１の後方への移動で可能ならしめるためである。
【０００７】
従って、インストルメントパネル１の前縁部２が湾曲しているので、その両側端部に設けられた凹陥取付部３の平面形状は図８で示されるように左右対称形状であって同形ではない。
【０００８】
また、左右両側の凹陥取付部３の形状と、中央の凹陥取付部３の形状とも同一でないことから、インストルメントパネル１を取付ねじ４を用いて不図示の車体に取付けた後、上記凹陥取付部３内で位置されている取付ねじ４の露出部を隠すために、上記各凹陥取付部３の開口部に被着使用する、例えば樹脂製の蓋板５の形状がそれぞれ異るものであった。
【０００９】
【発明が解決しようとする課題】
従って上記の従来例では、インストルメントパネル１に対して３種類以上の形状の蓋板５を用意しなければならず、各種形状の蓋板５を用意することは、型費が嵩み、経済性が悪く、その上生産性も悪いといった不具合があった。
【００１０】
また上記不具合を解消するために、上記蓋板５の形状を単一形状として、インストルメントパネル１の各凹陥取付部３に共用できるようにするため、図９で示すように、同形の方形とすることも考えられるが、この場合、インストルメントパネル１の前縁部２に沿って形成される複数の凹陥取付部３の辺縁３Ｂは、型抜き方向Ａに対して角度を有することになり、この角度により、特に左右両端部の凹陥取付部３にあっては、アンダーカット部が生じインストルメントパネル１成形後の型抜きが不能となるといった問題点が生じる。
【００１１】
本発明は、かかる従来の問題点に着目してなされたもので、複数個の凹陥取付部を設けるインストルメントパネルの射出成形後において、アンダーカット部をなくし成形型の一方向への型抜きを可能とする上記凹陥取付部の形状に設定すると共に、それらの凹陥取付部の形状をいずれも同形となし、これによって上記の各凹陥取付部に被着される蓋板の形状を単一形状となすことができるようにして、特に蓋板の生産性、経済性を高めることを目的としている。
【００１２】
【課題を解決するための手段】
上記目的を達成するために、本発明では、前縁部（２）が湾曲してなる樹脂製のインストルメントパネル（１）を車体に取付けるための取付ねじ（４）端部が収容される複数個の凹陥取付部（６）を上記湾曲した前縁部（２）に沿って配設してなり、少なくとも左右両端部に形成される該凹陥取付部（６）の開口縁を形成する一辺が上記インストルメントパネルの湾曲した前縁部（２）に沿って略平行に形成された車両用インストルメントパネル構造において、上記複数個の凹陥取付部（６）の開口縁の平面形状は、いずれも台形、三角形等の同一形状であり、かつ上記凹陥取付部（６）の左側辺縁（６Ａ）及び右側辺縁（６Ｂ）は、型抜き方向に対して同一又は開いているように設定してアンダーカット部にならないように形成されていることを特徴とする。
【００１３】
【発明の実施の形態】
以下に本発明を図面に示す実施形態に基いて詳細に説明するが、本発明にあっては、上記目的を達成するために、インストルメントパネルに形成する凹陥取付部の形状に特徴をもたせたものであって、その他の構造については、従来例の構造と同じであるので、その同一構造部分については、従来例で付した符号を引用して、その同一構造部分の構造説明を省略する。
【００１４】
すなわち、この実施形態にあっては、インストルメントパネル１の射出成形時において、そのインストルメントパネル１の前縁部２に沿って複数個設ける凹陥取付部６の形状に特徴がある。
【００１５】
この凹陥取付部６の断面形状は、図１で示されるように、インストルメントパネル１を車体に固定するに使用した取付ねじ４の端部が、インストルメントパネル１の表面から突出しないようにするための凹陥形状であり、また上記凹陥取付部６の平面形状は、図２で示すように台形形状であって、インストルメントパネル１の前縁部２に沿って配置される複数の凹陥形状はいずれも単一の同形である。
【００１６】
凹陥取付部６の平面形状つまり台形形状についてさらに詳細に述べると、インストルメントパネル１の左右両端部と、その中央部の３個所に、上記凹陥取付部６が形成されているが、インストルメントパネル１の左端に位置している凹陥取付部６の左側辺縁６Ａと、インストルメントパネル１の右端に位置している凹陥取付部６の右側辺縁６Ｂは、インストルメントパネル１の射出成形後の型抜き方向Ａとほぼ平行となるように設定されていて、型抜き時においてアンダーカット部が生じないように形成され、型抜きの容易性が考慮されている。
【００１７】
このように凹陥取付部６は平面図において、左側辺縁６Ａ及び右側辺縁６Ｂの向きが上述の通りアンダーカット部が生じないように設定された上で、各凹陥取付部６の平面形状がいずれも単一の同形に設定すれば、その平面形状は自ずと２等辺である台形となる。
【００１８】
なお、凹陥取付部６の平面形状として台形以外としては三角形でもよく、さらにアンダーカット部が生じなければ他の形状でもよい。
【００１９】
このようにして、インストルメントパネルに形成する全て（図では３ケ所）の凹陥取付部６の平面形状を同一形状とすることで、該凹陥取付部６の開口に被着する蓋板５の形状を台形とする同一形状のものを使用することができる。なお図４、図５に示されている蓋板５の裏面には、凹陥取付部６に設けられている係止孔７に係止し得る係止爪８を有し、その係止爪８と上記係止孔７との係止作用で、蓋板５を凹陥取付部６に被着され凹陥取付部６の開口部を閉塞させることができる。
【００２０】
【発明の効果】
以上述べたように、本発明では、凹陥取付部６の平面形状を型抜き方向に対してアンダーカット部が生じない台形、三角形等となしたものであるから、インストルメントパネル成形後における型抜きが容易となる。さらにインストルメントパネルの前縁部（２）に沿って複数個配設される上記凹陥取付部（６）は、いずれも同形であることから、この凹陥取付部（６）の開口に被着させる蓋板（５）の形状（構造）を単一形状とすることができ、これによって蓋板（５）の生産性、経済性が高められる。
【図面の簡単な説明】
【図１】  本発明の車両用インストルメントパネル構造の実施形態を示した要部断面図。
【図２】  本発明の車両用インストルメントパネル構造の実施形態を示した平面説明図。
【図３】  本発明の車両用インストルメントパネル構造の実施形態を示した要部斜視図。
【図４】  本発明の車両用インストルメントパネル構造に用いられる蓋板の平面図。
【図５】  本発明の車両用インストルメントパネル構造に用いられる蓋板の側面図。
【図６】  従来の車両用インストルメントパネル構造を示した斜視図。
【図７】  従来の車両用インストルメントパネル構造を示した要部斜視図。
【図８】  従来の車両用インストルメントパネル構造を示した作用説明図。
【図９】  従来の車両用インストルメントパネル構造を示した作用説明図。
【符号の説明】
１…インストルメントパネル        ２…前縁部
４…取付ねじ                      ５…蓋板
６…凹陥取付部                    ７…係止孔
６Ａ…左側辺縁（開口部）
６Ｂ…右側辺縁（開口部）
８…係止爪
【図１】
0003727421.tif 000002
【図２】
0003727421.tif 000003
【図３】
0003727421.tif 000004
【図４】
0003727421.tif 000005
【図５】
0003727421.tif 000006
【図６】
0003727421.tif 000007
【図７】
0003727421.tif 000008
【図８】
0003727421.tif 000009
【図９】
0003727421.tif 000010